(57)【要約】【課題】通行券と乗継券としての磁気カードの使用を廃止すること。【解決手段】ＩＣメモリを備えるＩＣカード免許証に、有料道路の入場に関する入口情報を書き込む入口側カード処理装置と、料金所に設置され、当該料金所が乗継地点である場合、乗継割引を適用するための乗継情報を生成し、生成した前記乗継情報を前記ＩＣカード免許証に書き込む出口処理部と、前記ＩＣカード免許証から読み出した前記入口情報及び前記乗継情報のうち少なくとも一方を含む通行情報に基づき通行料金を算出する料金算出部と、を有する。【選択図】図１
2015153170.tif 000002
【特許請求の範囲】
【請求項１】
ＩＣメモリを備えるＩＣカード免許証に、有料道路の入場に関する入口情報を書き込む入口側カード処理装置と、
料金所に設置され、当該料金所が乗継地点である場合、乗継割引を適用するための乗継情報を生成し、生成した前記乗継情報を前記ＩＣカード免許証に書き込む乗継処理部と、
前記ＩＣカード免許証から読み出した前記入口情報及び前記乗継情報のうち少なくとも一方を含む通行情報に基づき通行料金を算出する料金算出部と、
を有することを特徴とする有料道路料金処理システム。
【請求項２】
前記乗継処理部は、
前記通行料金の精算処理がなされた場合、前記ＩＣカード免許証から前記入口情報を消去することを特徴とする請求項１に記載の有料道路料金処理システム。
【請求項３】
前記入口側カード処理装置は、
前記有料道路の入口に進入する車両の車種を判定する入口車両判別装置による判定結果が示す車種情報、及び、前記有料道路の入口に進入する車両を撮影した画像から検出された車両ナンバー情報のうち少なくとも一方を前記入口情報に含めることを特徴とする請求項１または２に記載の有料道路料金処理システム。
【請求項４】
前記有料道路料金処理システムは出口精算機をさらに備え、
前記出口精算機は、
前記有料道路の出口に進入する車両の車種を判定する出口車両判別装置による判定結果が示す車種と、前記ＩＣカード免許証から読み出した前記入口情報に含まれる車種とが一致した場合、前記通行料金の精算処理をすることを特徴とする請求項３に記載の有料道路料金処理システム。
【請求項５】
前記有料道路料金処理システムは出口精算機をさらに備え、
前記出口精算機は、
前記有料道路の出口に進入する車両を撮影した画像から検出された車両ナンバー情報と、前記ＩＣカード免許証から読み出した前記入口情報に含まれる車両ナンバー情報とが一致した場合、前記通行料金の精算処理をすることを特徴とする請求項３に記載の有料道路料金処理システム。
【請求項６】
引継元のＩＣカード免許証から前記通行情報を読み取り、読み取った前記通行情報を引継先のＩＣカード免許証に書き込む引継処理装置をさらに備えることを特徴とする請求項１から５のうちいずれか一項に記載の有料道路料金処理システム。
【請求項７】
前記引継処理装置は、
前記引継先のＩＣカード免許証から読み取った前記通行情報に前記入口情報が含まれているか否かを判定し、前記入口情報が含まれていないと判定した場合、前記引継元のＩＣカード免許証から読み取った前記通行情報を前記引継先のＩＣカード免許証に書き込み、前記入口情報が含まれていると判定した場合、前記引継元のＩＣカード免許証から読み取った前記通行情報を前記引継先のＩＣカード免許証に書き込まないことを特徴とする請求項６に記載の有料道路料金処理システム。
【請求項８】
前記引継処理装置は、
前記引継元のＩＣカード免許証と前記引継先のＩＣカード免許証から読み取った前記通行情報に前記乗継情報が含まれているか否かを判定し、前記引継先のＩＣカード免許証に前記入口情報又は前記乗継情報が含まれていると判定した場合、前記引継元のＩＣカード免許証から読み取った前記通行情報を前記引継先のＩＣカード免許証に書き込むことを禁止し、前記引継元のＩＣカード免許証に前記乗継情報のみが含まれていると判定した場合、一定の条件下において前記引継元のＩＣカード免許証から読み取った前記通行情報を前記引継先のＩＣカード免許証に書き込むことを特徴とする請求項７に記載の有料道路料金処理システム。
【請求項９】
ＩＣメモリを備えるＩＣカード免許証に、有料道路への入場に関する入口情報を書き込むステップと、
設置される料金所が乗継地点である場合、乗継割引を適用するための乗継情報を生成し、生成した前記乗継情報を前記ＩＣカード免許証に書き込むステップと、
前記ＩＣカード免許証から読み出した前記入口情報及び前記乗継情報のうち少なくとも一方を含む通行情報に基づき通行料金を算出するステップと、
を有することを特徴とする有料道路料金処理方法。
【請求項１０】
コンピュータに、
ＩＣメモリを備えるＩＣカード免許証に、有料道路への入場に関する入口情報を書き込む手順、
設置される料金所が乗継地点である場合、乗継割引を適用するための乗継情報を生成し、生成した前記乗継情報を前記ＩＣカード免許証に書き込む手順、
前記ＩＣカード免許証から読み出した前記入口情報及び前記乗継情報のうち少なくとも一方を含む通行情報に基づき通行料金を算出する手順、
を実行させるためのプログラム。
【発明の詳細な説明】
【技術分野】
【０００１】
本発明は、有料道路料金処理システム、有料道路料金処理方法、及びプログラムに関する。
【背景技術】
【０００２】
例えば、ＩＴＳ（Intelligent Transport Systems：高度交通システム）における料金処理では、磁気カードの通行券を利用する磁気カード方式と、ＥＴＣ（登録商標、Electoronics Toll Collection system）カード方式とが採用されている。磁気カード方式の料金課金システムは、車載器を搭載していない車両の料金収受のために利用されるシステムである。この磁気カード方式では、入口で発行された通行券から読み取られた情報に基づいて、通行料金が計算される（例えば、特許文献１参照）。
近年、ＥＴＣ（登録商標）カードの普及により、磁気カード方式の利用率は低下傾向にある。これにより、磁気カード方式のために必要なコストと労力を削減したいというニーズが高まってきている。
そこで、磁気カード方式とＥＴＣ（登録商標）カード方式の両方に対応可能な料金収受システムが開発されている（例えば、特許文献２参照）。
【０００３】
また、ＩＴＳにおける料金処理では、通行料金は、走行区間ごとに計算される。例えば、同じ距離を走行した場合であっても、途中で有料道路を降りてしまった場合、途中で有料道路を降りない場合に比べて料金が高くなる。しかし有料道路の一部が事故や工事で通行禁止となっている場合、この通行禁止区間を迂回するため、有料道路を一度降りなければならない。このような場合、車載器を搭載していない車両に対しては、出口料金所で磁気カードの乗継券が発行される。乗り継ぎ先の出口料金所で通行料金を精算する際に乗継券がある場合、通行禁止区間の前後の走行区間を１つの走行区間として取扱い、乗り継ぎがあった場合の割引が提供される。
例えば、有料道路の出口に設置された料金自動収受機は、ドライバーから挿入された通行券に基づき通行料金の精算処理を行う（例えば、特許文献３参照）。このような料金自動収受機では、通行券と乗車券とに基づき、通行料金の精算処理が行われる。
【先行技術文献】
【特許文献】
【０００４】
【特許文献１】特開２００３−２０３２５４号公報
【特許文献２】特開２００２−７４４２０号公報
【特許文献３】特開２００３−２４２５３４号公報
【発明の概要】
【発明が解決しようとする課題】
【０００５】
しかしながら、特許文献２に記載の技術を用いたとしても、通行券がなければ通行料金が計算できない。また、乗継券がなければ乗継割引が適用されない。このため、通行券や乗継券を発行するために必要なコストと労力を削減することができないという問題があった。
【０００６】
本発明は、このような事情に鑑みてなされたもので、その目的は、通行券又は乗継券として磁気カードの使用量を削減することができる有料道路料金処理システム、有料道路料金処理方法、及びプログラムを提供することにある。
【課題を解決するための手段】
【０００７】
上記問題を解決するために、本発明に係る有料道路料金処理システムの一態様は、ＩＣメモリを備えるＩＣカード免許証に、有料道路の入場に関する入口情報を書き込む入口側カード処理装置と、料金所に設置され、当該料金所が乗継地点である場合、乗継割引を適用するための乗継情報を生成し、生成した前記乗継情報を前記ＩＣカード免許証に書き込む乗継処理部と、前記ＩＣカード免許証から読み出した前記入口情報及び前記乗継情報のうち少なくとも一方を含む通行情報に基づき通行料金を算出する料金算出部と、を有する。
【０００８】
また、本発明の一態様は、上記に記載の有料道路料金処理システムにおいて、前記乗継処理部は、前記通行料金の精算処理がなされた場合、前記ＩＣカード免許証から前記入口情報を消去する。
【０００９】
また、本発明の一態様は、上記に記載の有料道路料金処理システムにおいて、前記入口側カード処理装置は、前記有料道路の入口に進入する車両の車種を判定する入口車両判別装置による判定結果が示す車種情報、及び、前記有料道路の入口に進入する車両を撮影した画像から検出された車両ナンバー情報のうち少なくとも一方を前記入口情報に含める。
【００１０】
また、本発明の一態様は、上記に記載の有料道路料金処理システムにおいて、前記有料道路料金処理システムは出口精算機をさらに備え、前記出口精算機は、前記有料道路の出口に進入する車両の車種を判定する出口車両判別装置による判定結果が示す車種と、前記ＩＣカード免許証から読み出した前記入口情報に含まれる車種とが一致した場合、前記通行料金の精算処理をする。
【００１１】
また、本発明の一態様は、上記に記載の有料道路料金処理システムにおいて、前記有料道路料金処理システムは出口精算機をさらに備え、前記出口精算機は、前記有料道路の出口に進入する車両を撮影した画像から検出された車両ナンバー情報と、前記ＩＣカード免許証から読み出した前記入口情報に含まれる車両ナンバー情報とが一致した場合、前記通行料金の精算処理をする。
【００１２】
また、本発明の一態様は、上記に記載の有料道路料金処理システムにおいて、引継元のＩＣカード免許証から前記通行情報を読み取り、読み取った前記通行情報を引継先のＩＣカード免許証に書き込む引継処理装置をさらに備える。
【００１３】
また、本発明の一態様は、上記に記載の有料道路料金処理システムにおいて、前記引継処理装置は、前記引継先のＩＣカード免許証から読み取った前記通行情報に前記入口情報が含まれているか否かを判定し、前記入口情報が含まれていないと判定した場合、前記引継元のＩＣカード免許証から読み取った前記通行情報を前記引継先のＩＣカード免許証に書き込み、前記入口情報が含まれていると判定した場合、前記引継元のＩＣカード免許証から読み取った前記通行情報を前記引継先のＩＣカード免許証に書き込まない。
【００１４】
また、本発明の一態様は、上記に記載の有料道路料金処理システムにおいて、前記引継処理装置は、前記引継元のＩＣカード免許証と前記引継先のＩＣカード免許証から読み取った前記通行情報に前記乗継情報が含まれているか否かを判定し、前記引継先のＩＣカード免許証に前記入口情報又は前記乗継情報が含まれていると判定した場合、前記引継元のＩＣカード免許証から読み取った前記通行情報を前記引継先のＩＣカード免許証に書き込むことを禁止し、前記引継元のＩＣカード免許証に前記乗継情報のみが含まれていると判定した場合、一定の条件下において前記引継元のＩＣカード免許証から読み取った前記通行情報を前記引継先のＩＣカード免許証に書き込む。
【００１５】
上記問題を解決するために、本発明に係る有料道路料金処理方法の一態様は、ＩＣメモリを備えるＩＣカード免許証に、有料道路への入場に関する入口情報を書き込むステップと、設置される料金所が乗継地点である場合、乗継割引を適用するための乗継情報を生成し、生成した前記乗継情報を前記ＩＣカード免許証に書き込むステップと、前記ＩＣカード免許証から読み出した前記入口情報及び前記乗継情報のうち少なくとも一方を含む通行情報に基づき通行料金を算出するステップと、を有する。
【００１６】
上記問題を解決するために、本発明に係るプログラムの一態様は、コンピュータに、ＩＣメモリを備えるＩＣカード免許証に、有料道路への入場に関する入口情報を書き込む手順、設置される料金所が乗継地点である場合、乗継割引を適用するための乗継情報を生成し、生成した前記乗継情報を前記ＩＣカード免許証に書き込む手順、前記ＩＣカード免許証から読み出した前記入口情報及び前記乗継情報のうち少なくとも一方を含む通行情報に基づき通行料金を算出する手順、を実行させるためのプログラムである。
【発明の効果】
【００１７】
この発明によれば、通行券と乗継券として磁気カードの使用量を削減することができる。
【図面の簡単な説明】
【００１８】
【図１】本発明の一実施形態に係る有料道路料金処理システムの一例を示す概略図である。
【図２】本発明の一実施形態に係るＩＣカード免許証の一例を示す図である。
【図３】本発明の一実施形態に係る入口側カード処理装置の構成例を示すブロック図である。
【図４】本発明の一実施形態に係るカード情報引継処理装置の構成例を示すブロック図である。
【図５】本発明の一実施形態に係るカード情報引継処理装置の処理の一例を説明するための図である。
【図６】本発明の一実施形態に係る出口側カード処理装置と料金収受機の構成例を示すブロック図である。
【図７】本発明の一実施形態に係る入口側カード処理装置による処理の一例について説明するためのフローチャートである。
【図８】本発明の一実施形態に係る出口側カード処理装置による処理の一例について説明するためのフローチャートである。
【図９】本発明の一実施形態に係る精算処理の一例について説明するためのフローチャートである。
【図１０】本発明の一実施形態に係る引き継ぎ処理の一例について説明するためのフローチャートである。
【図１１】本発明の一実施形態に係るＩＣカード免許証に書き込まれる通行情報の一例を示す図である。
【発明を実施するための形態】
【００１９】
（第１実施形態）
以下、本発明の一実施形態に係る有料道路料金処理システムの一例について図面を参照して説明する。図１は、本発明の一実施形態に係る有料道路料金処理システムの一例を示す概略図である。
図１に示す通り、本発明の一実施形態に係る有料道路料金処理システム１は、入口側カード処理装置１０と、カード情報引継処理装置２０と、出口側カード処理装置３０とを備える。
入口側カード処理装置１０は、有料道路の入口である入口料金所に設置される。入口側カード処理装置１０は、例えば、有人の入口料金所では係員が待機する有人ブース内に設置される。また、無人の入口料金所では、磁気カード発行機に替えて、車両に乗っている利用者が利用可能な位置に入口側カード処理装置１０が設置される。
出口側カード処理装置３０は、有料道路の出口である出口料金所に設置される。出口側カード処理装置３０は、有人の出口料金所においては、例えば、係員が待機する有人ブース内に設置される。出口側カード処理装置３０は、貨幣処理装置と共に、料金収受機として構成され、料金精算を行うものであってもよい。また、出口側カード処理装置３０は、無人の出口料金所においては、例えば料金収受機に搭載され、車両に乗っている利用者が利用可能な位置に設置される。
カード情報引継処理装置２０は、例えば、有料道路内のサービスエリアに設置される。
【００２０】
入口料金所には、入口側カード処理装置１０に加え、車両判別装置１１と、車両検出装置１２と、車両番号撮影カメラ１３と、車線制御装置１４とが設置されている。車両判別装置１１は、有料道路の入口に進入する車両の大きさ及び軸数に基づき、車両の車種を判定し、判定結果を示す情報を入口側カード処理装置１０に出力する。車両検出装置１２は、有料道路の入口に進入する車両の大きさ及び軸数を検出するセンサーを備え、検出結果を示す情報を車両判別装置１１に出力する。車両番号撮影カメラ１３は、有料道路の入口に進入する車両のナンバープレートを撮影し、画像データを車線制御装置１４に出力する。車線制御装置１４は、一般的な画像処理技術を用いて、車両番号撮影カメラ１３が撮影した画像から車両ナンバーを検出し、車両ナンバーを示す情報を入口側カード処理装置１０に出力する。
【００２１】
出口料金所には、出口側カード処理装置３０に加え、車両判別装置３１と、車両検出装置３２と、車両番号撮影カメラ３３と、車線制御装置３４と、料金収受機（出口精算機）３５とが設置されている。出口側カード処理装置３０と料金収受機３５は一体的に設けられる構成であってもよい。
車両判別装置３１は、有料道路の出口に進入する車両の大きさ及び軸数に基づき、車両の車種を判定し、判定結果を示す情報を出口側カード処理装置３０に出力する。車両検出装置３２は、有料道路の出口に進入する車両の大きさ及び軸数を検出するセンサーを備え、検出結果を示す情報を車両判別装置３１に出力する。車両番号撮影カメラ３３は、有料道路の出口に進入する車両のナンバープレートを撮影し、画像データを車線制御装置３４に出力する。車線制御装置３４は、一般的な画像処理技術を用いて、車両番号撮影カメラ３３が撮影した画像から車両ナンバーを検出し、車両ナンバーを示す情報を出口側カード処理装置３０に出力する。料金収受機３５は、出口側カード処理装置３０が算出した通行料金の精算処理をする。
【００２２】
次に、図２を参照して、本実施形態に係る有料道路料金処理システム１において利用可能なＩＣカード免許証の一例について説明する。図２は、ＩＣカード免許証の一例を示す図である。
図２に示す通り、本実施形態に係るＩＣカード免許証４０には、ＩＣチップ４０１が内蔵されている。このＩＣチップ４０１には、ＲＯＭ（Read Only Memory）及びＲＡＭ（Random Access Memory）等のＩＣメモリが搭載されている。ＩＣチップ４０１のＲＯＭには、氏名、本籍地、住所等の運転免許証に関する情報が記憶されている。ＩＣチップ４０１のＲＡＭには、通行情報が記憶される。通行情報は、入口情報と乗継情報とを含む。入口情報とは、入口料金所から入場した車両に関する情報である。乗継情報とは、乗継地点の前後の走行区間に対して予め決められた乗継割引を適用するための情報である。
また、ＩＣカード免許証４０の表面には、従来からの運転免許証と同様に、氏名、住所、顔写真等が表示されている。ＩＣカード免許証４０の表面には、運転免許証に関する情報が表示されていない領域に、通行情報書込領域４０２が設けられている。この通行情報書込領域４０２は、例えば、感熱式のリライト機能を備える装置によって、通行情報が書き込まれる領域である。
近年、免許証のＩＣ化が進んでいる。免許証の有効期限は最大で５年であるため、実施開始時から５年後には、全ての免許証がＩＣカード免許証に切り替わることが予測される。
【００２３】
次に、図３を参照して、入口側カード処理装置１０の構成例について説明する。図３は、入口側カード処理装置１０の構成例を示すブロック図である。
図３に示す通り、入口側カード処理装置１０と、車両判別装置１１と、車両検出装置１２と、車両番号撮影カメラ１３と、車線制御装置１４とは、それぞれネットワークを介して接続されている。
入口側カード処理装置１０は、通信部１０１と、時計１０２と、入口情報記憶部１０３と、書込部１０４と、読取部１０５と、操作部１０６と、表示部１０７と、入口処理部１０８と、を備える。
通信部１０１は、ネットワークを介して、各装置と情報を送受信するインターフェースである。時計１０２は、現在時刻を計り、現在時刻を示す現在時刻情報を出力する。また、時計１０２は、現在時刻に基づき日付を計り、日付を示す日付情報を出力する。つまり、時計１０２は、現在時刻情報と日付情報とを含む情報を、有料道路に入場した入場時刻及び入場日を示す入場日時情報として出力する。入口情報記憶部１０３は、当該入口側カード処理装置１０が設置されている入口料金所に関する情報（以下、入口料金所情報という）を記憶する。書込部１０４は、ＩＣカード免許証４０に情報を書き込むＩＣカードライタである。書込部１０４は、感熱式のリライト機能を備え、ＩＣカード免許証４０の通行情報書込領域４０２に情報を書き込む。また、書込部１０４は、リライト機能によって書き込まれた情報を通行情報書込領域４０２から消去することができる。読取部１０５は、ＩＣカード免許証４０から情報を読み取るＩＣカードリーダである。これら書込部１０４と読取部１０５としては、非接触型のＩＣカードリーダライタや、接触型のＩＣカードリーダライタが利用可能である。操作部１０６は、例えば、入口料金所にいる収受員からの操作を受け付け、受け付けた操作内容を示す操作情報を出力する。表示部１０７は、入口処理部１０８によって制御され、表示画面に操作内容等を表示する。また、表示部１０７は、車両番号撮影カメラ１３によって撮影された画像を表示する。操作部１０６と表示部１０７としては、一体的に形成されるタッチパネルが利用可能である。
【００２４】
入口処理部１０８は、ＩＣカード免許証４０に、有料道路への入場に関する入口情報を書き込む処理（以下、入口処理という）を実行する。この入口情報には、例えば、入口料金所を示す入口料金所情報、車両の車種を示す車種情報、車両ナンバー（車両番号ともいう）を示す車両ナンバー情報、及び、入口料金所に入場した入場時刻及び入場日を示す入場日時情報が含まれる。
入口処理部１０８は、入口処理を実行する際、ＩＣカード免許証４０に既に入口情報が書き込まれているか否かを判定する。既に入口情報が書き込まれている場合、入口処理部１０８は、入口処理を終了する。入口情報が書き込まれていない場合、入口処理部１０８は、入口処理を実行する。入口処理部１０８は、操作部１０６を介して入口処理の実行の指示を受け付けた場合、入口処理の実行を開始する。また、入口処理部１０８は、所定のセンサー（図示せず）によってＩＣカード免許証４０が検出された場合、入口処理の実行の指示を受け付けて、入口処理の実行を開始してもよい。このセンサー（図示せず）は、ＩＣカード免許証４０が書込部１０４と読取部１０５による読み書き処理が実行可能な位置に位置されたこと検出する。
入口処理部１０８は、通信部１０１を介して車両判別装置１１から受信する情報に基づき、有料道路の入口に進入する車両の車種を示す車種情報を入口情報に含める。入口処理部１０８は、通信部１０１を介して車線制御装置１４から受信する情報に基づき、有料道路の入口に進入する車両の車両ナンバーを示す車両ナンバー情報を入口情報に含める。入口処理部１０８は、入口情報記憶部１０３から読み出した入口料金所情報と、時計１０２から出力された入場日時情報とを入口情報に含める。
【００２５】
次に、図４を参照して、カード情報引継処理装置２０の構成例について説明する。図４は、カード情報引継処理装置２０の構成例を示すブロック図である。
図４に示す通り、カード情報引継処理装置２０は、引継処理部２０１と、時計２０２と、第１書込部２０３と、第１読取部２０４と、第２書込部２０５と、第２読取部２０６と、操作部２０７と、表示部２０８と、を備える。
時計２０２は、現在時刻を計り、現在時刻を示す現在時刻情報を出力する。また、時計２０２は、現在時刻に基づき日付を計り、日付を示す日付情報を出力する。つまり、時計２０２は、現在時刻情報と日付情報とを含む情報を、カード情報を引き継いだ引継時刻及び引継日を示す引継日時情報として出力する。
【００２６】
第１書込部２０３は、予め決められた引継元のＩＣカード免許証の載置位置に位置されたＩＣカード免許証４０に対して情報を書き込むＩＣカードライタである。
第１読取部２０４は、予め決められた引継元のＩＣカード免許証の載置位置に位置されたＩＣカード免許証４０から情報を読み取るＩＣカードリーダである。
第２書込部２０５は、予め決められた引継先のＩＣカード免許証の載置位置に位置されたＩＣカード免許証４０に対して情報を書き込むＩＣカードライタである。
第２読取部２０６は、予め決められた引継先のＩＣカード免許証の載置位置に位置されたＩＣカード免許証４０から情報を読み取るＩＣカードリーダである。
第１書込部２０３と第２書込部２０５は、感熱式のリライト機能を備え、ＩＣカード免許証４０の通行情報書込領域４０２に情報を書き込む。また、第１書込部２０３と第２書込部２０５は、リライト機能によって書き込まれた情報を通行情報書込領域４０２から消去することができる。第１読取部２０４と第２読取部２０６は、ＩＣカード免許証４０から情報を読み取るＩＣカードリーダである。これら第１書込部２０３、第１読取部２０４、第２書込部２０５、第２読取部２０６としては、非接触型のＩＣカードリーダライタや、接触型のＩＣカードリーダライタが利用可能である。
【００２７】
操作部２０７は、例えば、カード情報引継処理装置２０を操作する利用者からの操作を受け付け、受け付けた操作内容を示す操作情報を出力する。表示部２０８は、引継処理部２０１によって制御され、表示画面に操作内容等を表示する。操作部２０７と表示部２０８としては、一体的に形成されるタッチパネルが利用可能である。
【００２８】
ここで、引継元のＩＣカード免許証をＩＣカード免許証４０ａという。引継先のＩＣカード免許証をＩＣカード免許証４０ｂという。
引継処理部２０１は、引継元のＩＣカード免許証４０ａに記録されている情報と、引継先のＩＣカード免許証４０ｂに記録されている情報との組み合わせに応じて、引継元のＩＣカード免許証４０ａに記録されている情報を、引継先のＩＣカード免許証４０ｂに記録させる。
【００２９】
ここで、図５を参照して、引継処理部２０１の処理の一例について説明する。図５は、引継処理部２０１の処理の一例を説明するための図である。
図５に示す通り、引継元のＩＣカード免許証４０ａに通行情報が何ら記録されていない場合、引継処理部２０１は、引継先のＩＣカード免許証４０ｂに通行情報を書き込まない。
また、引継元のＩＣカード免許証４０ａに入口情報のみが記録されており、且つ、引継先のＩＣカード免許証４０ｂに少なくとも入口情報が記録されている場合、引継処理部２０１は、引継先のＩＣカード免許証４０ｂに通行情報を書き込まない。具体的に説明すると、引継先のＩＣカード免許証４０ｂに入口情報のみが記録されている場合、及び、入口情報と乗継情報とが記録されている場合、引継処理部２０１は、引継元のＩＣカード免許証４０ａに記録されている入口情報を、引継先のＩＣカード免許証４０ｂに書き込まない。一方、引継先のＩＣカード免許証４０ｂに何ら情報が記録されていない場合、及び、乗継情報のみが記録されている場合、引継処理部２０１は、引継元のＩＣカード免許証４０ａに記録されている入口情報を、引継先のＩＣカード免許証４０ｂに書き込む。なお、引継先のＩＣカード免許証４０ｂに乗継情報のみが記録されている場合、引継処理部２０１は、引継先のＩＣカード免許証４０ｂから乗継情報を削除する。
【００３０】
引継元のＩＣカード免許証４０ａに乗継情報のみが記録されている場合、引継処理部２０１は、引継先のＩＣカード免許証４０ｂに通行情報を書き込まない。
【００３１】
引継元のＩＣカード免許証４０ａに入口情報と乗継情報とが記録されており、且つ、引継先のＩＣカード免許証４０ｂに少なくとも入口情報が記録されている場合、引継処理部２０１は、引継先のＩＣカード免許証４０ｂに通行情報を書き込まない。具体的に説明すると、引継先のＩＣカード免許証４０ｂに入口情報のみが記録されている場合、及び、入口情報と乗継情報とが記録されている場合、引継処理部２０１は、引継元のＩＣカード免許証４０ａに記録されている入口情報及び乗継情報を、引継先のＩＣカード免許証４０ｂに書き込まない。一方、引継先のＩＣカード免許証４０ｂに何ら情報が記録されていない場合、及び、乗継情報のみが記録されている場合、引継処理部２０１は、引継元のＩＣカード免許証４０ａに記録されている入口情報及び乗継情報を、引継先のＩＣカード免許証４０ｂに書き込む。なお、引継先のＩＣカード免許証４０ｂに乗継情報のみが記録されている場合、引継処理部２０１は、引継先のＩＣカード免許証４０ｂから乗継情報を削除する。
【００３２】
次に、図６を参照して、出口側カード処理装置３０と料金収受機３５の構成例について説明する。図６は、出口側カード処理装置３０と料金収受機３５の構成例を示すブロック図である。ここでは、出口側カード処理装置３０と料金収受機３５がそれぞれネットワークを介して接続され、相互通信する例について説明するが、本発明はこれに限られない。例えば、出口側カード処理装置３０は料金収受機３５とは、一体的に構成される１台の装置であってもよい。
図６に示す通り、出口側カード処理装置３０と、車両判別装置３１と、車両検出装置３２と、車両番号撮影カメラ３３と、車線制御装置３４と、料金収受機３５とは、それぞれネットワークを介して接続されている。
出口側カード処理装置３０は、通信部３０１と、時計３０２と、出口情報記憶部３０３と、書込部３０４と、読取部３０５と、操作部３０６と、表示部３０７と、出口処理部３０８と、を備える。
通信部３０１は、ネットワークを介して、各装置と情報を送受信するインターフェースである。時計３０２は、現在時刻を計り、現在時刻を示す現在時刻情報を出力する。また、時計３０２は、現在時刻に基づき日付を計り、日付を示す日付情報を出力する。つまり、時計３０２は、現在時刻情報と日付情報とを含む情報を、有料道路から出場した出場時刻及び出場日を示す出場日時情報として出力する。出口情報記憶部３０３は、当該出口側カード処理装置３０が設置されている出口料金所に関する情報（以下、出口料金所情報という）を記憶する。書込部３０４は、ＩＣカード免許証４０に情報を書き込むＩＣカードライタである。書込部３０４は、感熱式のリライト機能を備え、ＩＣカード免許証４０の通行情報書込領域４０２に情報を書き込む。また、書込部３０４は、リライト機能によって書き込まれた情報を通行情報書込領域４０２から消去することができる。読取部３０５は、ＩＣカード免許証４０から情報を読み取るＩＣカードリーダである。これら書込部３０４と読取部３０５としては、非接触型のＩＣカードリーダライタや、接触型のＩＣカードリーダライタが利用可能である。操作部３０６は、例えば、出口料金所にいる収受員からの操作を受け付け、受け付けた操作内容を示す操作情報を出力する。表示部３０７は、出口処理部３０８によって制御され、表示画面に操作内容等を表示する。また、表示部３０７は、車両番号撮影カメラ３３によって撮影された画像を表示する。操作部３０６と表示部３０７としては、一体的に形成されるタッチパネルが利用可能である。
【００３３】
出口処理部３０８は、ＩＣカード免許証４０に対して、通行料金の精算処理に必要な情報として、例えば通行情報を読み書きする。出口処理部３０８は、入口情報を消去する際、精算処理が完了しているか否かを判定する。精算処理が完了している場合、出口処理部３０８は、ＩＣカード免許証４０から入口情報を消去する。
出口処理部３０８は、乗継処理部３８１を備える。乗継処理部３８１は、出口側カード処理装置３０が設置される出口料金所が乗継地点である場合、ＩＣカード免許証４０から読み出した入口情報に基づき乗継情報を生成し、乗継情報をＩＣカード免許証４０に書き込む。乗継地点でない場合、乗継処理部３８１は、ＩＣカード免許証４０のＩＣメモリに書き込まれている通行情報を全て消去する。乗継処理部３８１により生成される乗継情報には、乗継割引の対象となる走行区間を示す情報、乗継割引の対象となる走行区間の精算金額、車両番号、乗継情報が生成された乗継日時等を示す情報が含まれる。
【００３４】
料金収受機３５は、通信部３５１と、時計３５２と、精算情報記憶部３５３と、精算処理部３５４と、料金算出部３５５と、を備える。
通信部３５１は、ネットワークを介して、各装置と情報を送受信するインターフェースである。時計３５２は、現在時刻を計り、現在時刻を示す現在時刻情報を出力する。また、時計３０２は、現在時刻に基づき日付を計り、日付を示す日付情報を出力する。精算情報記憶部３５３は、入口料金所と出口料金所とに基づき、通行料金を算出するための情報を記憶する。また、精算情報記憶部３５３は、各割引の対象に該当するか否かを判定するための情報を記憶する。
料金算出部３５５は、精算情報記憶部３５３の情報を参照して、出口側カード処理装置３０から入力する通行情報に基づき、通行料金を算出する。
精算処理部３５４は、料金算出部３５５が算出した通行料金の支払いを、現金、クレジットカード、電子マネー等により受け付けて、通行料金の精算処理をする。
【００３５】
ここで、料金算出部３５５による通行料金の算出方法の一例について説明する。
料金算出部３５５による通行料金の算出処理では、対象区間の通行料金の算出する際、走行距離割引が適用される。また、通行情報に乗継情報が含まれている場合、料金算出部３５５は、乗継情報を用いて乗継料金算出処理（つまり、乗継割引を適用した通行料金の算出処理）を実行する。精算処理の対象区間とは、車両が入場した入口料金所から出場した出口料金所までの区間をいう。つまり、精算処理の対象区間は、原則的には１つの走行区間である。走行距離割引とは、通行料金の算出処理において、精算処理の対象区間の距離に応じた分だけ通行料金が減額されるサービスである。走行距離割引では、対象区間が長ければ長いほど、通行料金から割り引かれる割引率又は金額が大きくなる。よって、同一区間を走行した場合、途中で有料道路を降りないときの通行料金の方が、途中で有料道路を降りたときの通行料金に比べて安くなる。しかしながら、有料道路の一部が工事中等で通行禁止となっている場合、利用者の意思に関わらず、車両は有料道路を一旦降りなければならない。乗継料金算出処理は、通行禁止区間を跨いで有料道路を乗り継いだ場合、通行料金の算出処理において予め決められた乗継割引が適用されるサービスである。言い換えると、所定の事由により有料道路を一旦降りた車両に対して適用される割引である。
本実施形態において、料金算出部３５５は、通行禁止区間を跨いで有料道路を乗り継いだ場合、通行禁止区間の前後の走行区間の合計区間を走行距離割引の対象区間とする。料金算出部３５５は、通行禁止区間の前後の走行区間の合計区間において、最初の入口料金所から最後の出口料金所までの対象区間についての通行料金の算出処理を行う。料金算出部３５５は、乗継料金算出処理において、通行禁止区間の通行料金に相当する金額、又は、予め決められた金額をさらに割り引くものであってもよい。
【００３６】
精算処理部３５４は、車両判別装置３１による判定結果が示す車種と、出口側カード処理装置３０がＩＣカード免許証４０から読み出した入口情報に含まれる車種とが一致したか否かを判定する。車種が一致した場合、精算処理部３５４は、料金算出部３５５が算出した通行料金の精算処理をする。
また、精算処理部３５４は、車線制御装置３４により検出される車両ナンバーと、出口側カード処理装置３０がＩＣカード免許証４０から読み出した入口情報に含まれる車両ナンバーとが一致したか否かを判定する。車両ナンバーが一致した場合、精算処理部３５４は、料金算出部３５５が算出した通行料金の精算処理をする。
【００３７】
次に、図７を参照して、本実施形態に係るＩＣカード免許証４０に対する入口処理の一例について説明する。図７は、本実施形態に係るＩＣカード免許証４０に対する入口処理の一例について説明するためのフローチャートである。
（ステップＳＴ１０１）
例えば、操作部１０６が、収受員から、ＩＣカード免許証４０の入口処理の実行開始指示を受け付ける。操作部１０６は、入口処理の実行開始を示す操作情報を入口処理部１０８に出力する。入口処理部１０８は、入口処理の実行を開始する。入口処理部１０８は、読取部１０５を介して、ＩＣカード免許証４０から情報を読み取り、入口情報記憶部１０３に一時的に記憶させる。
（ステップＳＴ１０２）
入口処理部１０８は、ＩＣカード免許証４０から読み取った情報の中に入口情報が含まれているか否かを判定する。
（ステップＳＴ１０３）
ＩＣカード免許証４０から読み取った情報の中に入口情報が含まれていないと判定した場合、入口処理部１０８は、進入してきた車両の車種を判定する判別結果が得られたか否かを判定する。言い換えると、入口処理部１０８は、車両判別装置１１から受信した情報に、車種情報が含まれているか否かを判定する。
（ステップＳＴ１０４）
車種情報を受信した場合、入口処理部１０８は、当該車両の判別結果が得られたと判定する。この場合、入口処理部１０８は、通信部１０１を介して車両判別装置１１から受信した車種情報を入口情報に含める。
【００３８】
（ステップＳＴ１０５）
入口処理部１０８は、進入してきた車両の車両ナンバーが得られたか否かを判定する。言い換えると、入口処理部１０８は、車線制御装置１４から受信した情報に、車両ナンバー情報が含まれているか否かを判定する。
（ステップＳＴ１０６）
車両ナンバー情報を受信した場合、入口処理部１０８は、車両ナンバーが得られたと判定する。この場合、入口処理部１０８は、通信部１０１を介して車線制御装置１４から受信した車両ナンバー情報を入口情報に含める。
【００３９】
（ステップＳＴ１０７）
入口処理部１０８は、入口情報記憶部１０３から読み出した入口料金所情報と、時計１０２から出力された入場日時情報とを入口情報に含める。そして、入口処理部１０８は、含められた全ての情報に基づき、入口情報を生成する。入口処理部１０８は、生成した入口情報をＩＣカード免許証４０に書き込むよう書込部１０４に指示する。書込部１０４は、入口処理部１０８から入力する入口情報を、ＩＣカード免許証４０のＩＣメモリに書き込む。書込部１０４は、入口処理部１０８から入力する入口情報の少なくとも一部を、通行情報書込み領域４２の入口の欄に書き込む。書込部１０４は、例えば、入口料金所の名称を、通行情報書込み領域４２に書き込む。
【００４０】
（ステップＳＴ１０８）
一方、ステップＳＴ１０２において、ＩＣカード免許証４０から読み取った情報の中に入口情報が含まれていないと判定した場合、入口処理部１０８は、処理エラーであることを表示部１０７に表示させる。そして、入口処理部１０８は、処理を終了する。
【００４１】
次に、図８を参照して、本実施形態に係る出口側カード処理装置３０による処理の一例について説明する。図８は、本実施形態に係る出口側カード処理装置３０による処理の一例について説明するためのフローチャートである。
（ステップＳＴ２０１）
例えば、操作部３０６が、収受員から料金精算処理に伴うＩＣカード免許証４０の出口処理の実行開始指示を受け付ける。操作部３０６は、出口処理の実行開始を示す操作情報を出口処理部３０８に出力する。出口処理部３０８は、出口処理の実行を開始する。出口処理部３０８は、読取部３０５を介して、ＩＣカード免許証４０から通行情報を読み取る。出口処理部３０８は、ＩＣカード免許証４０から読み取った通行情報を、通信部３０１を介して、料金収受機３５に出力する。
（ステップＳＴ２０２）
出口処理部３０８は、精算処理が完了したか否かを判定する。つまり、出口処理部３０８は、料金収受機３５から受信した情報に、精算処理が完了したことを示す情報が含まれているか否かを判定する。
（ステップＳＴ２０３）
精算処理が完了したことを示す情報を受信した場合、出口処理部３０８は、精算処理が完了したと判定する。この場合、出口処理部３０８は、ＩＣカード免許証４０から入口情報を消去する。つまり、出口処理部３０８は、書込部３０４に対して、ＩＣカード免許証４０の表面の入口情報をリライト機能により消去するよう指示する。また、出口処理部３０８は、書込部３０４に対して、ＩＣカード免許証４０のＩＣメモリから入口情報を消去するよう指示する。書込部３０４は、ＩＣカード免許証４０のＩＣチップ４０１と通行情報書込領域４０２から、入口情報を消去する。
【００４２】
（ステップＳＴ２０４）
乗継処理部３８１は、出口情報記憶部３０３を参照して、出口側カード処理装置３０が設置される出口料金所が乗継地点であるか否かを判定する。つまり、乗継処理部３８１は、出口情報記憶部３０３に乗継地点であることを示す情報が記憶されているか否かを判定する。
（ステップＳＴ２０５）
乗継地点であることを示す情報が出口情報記憶部３０３に記憶されている場合、乗継処理部３８１は、乗継地点であると判定する。この場合、乗継処理部３８１は、乗継情報を生成する。乗継処理部３８１は、生成した乗継情報をＩＣカード免許証４０に書き込むよう書込部３０４に指示する。書込部３０４は、乗継情報をＩＣカード免許証４０のＩＣメモリに乗継情報を書き込む。この書込部３０４は、乗継情報のうち少なくとも一部を、リライト機能により、通行情報書込み領域４２の乗継の欄に書き込む。書込部３０４は、例えば、利用区間、乗継区間において支払った料金、車種、乗継日時等の乗継情報を、通行情報書込み領域４２に書き込む。
（ステップＳＴ２０６）
一方、乗継地点であることを示す情報が出口情報記憶部３０３に記憶されていない場合、乗継処理部３８１は、乗継地点でないと判定する。この場合、乗継処理部３８１は、ＩＣカード免許証４０から乗継情報を消去する。乗継処理部３８１は、ＩＣカード免許証４０から乗継情報を消去するよう書込部３０４に指示する。書込部３０４は、ＩＣカード免許証４０のＩＣメモリに記憶されている乗継情報を消去する。書込部３０４は、リライト機能により、通行情報書込み領域４２の乗継の欄に記載の情報を消去する。
【００４３】
次に、図９を参照して、本実施形態に係る精算処理の一例について説明する。図９は、本実施形態に係る精算処理の一例について説明するためのフローチャートである。
（ステップＳＴ３０１）
料金収受機３５は、出口側カード処理装置３０から通行情報を受信する。
（ステップＳＴ３０２）
料金収受機３５は、車線制御装置３４から車両ナンバー情報を受信したか否かを判定する。また、料金収受機３５は、受信した通行情報に車両ナンバー情報が含まれているか否かを判定する。
（ステップＳＴ３０３）
車線制御装置３４から車両ナンバー情報を受信し、且つ、通行情報に車両ナンバー情報が含まれている場合、料金収受機３５は、車線制御装置３４から受信した車両ナンバー情報と通行情報に含まれている車両ナンバー情報とを比較する。
（ステップＳＴ３０４）
料金収受機３５は、比較結果に基づき、車線制御装置３４から受信した車両ナンバー情報と通行情報に含まれている車両ナンバー情報とが一致するか否かを判定する。
【００４４】
（ステップＳＴ３０５）
車線制御装置３４から受信した車両ナンバー情報と通行情報に含まれている車両ナンバー情報とが一致する場合、料金収受機３５は、車両判別装置３１から車種情報を受信したか否かを判定する。また、料金収受機３５は、受信した通行情報に車種情報が含まれているか否かを判定する。
（ステップＳＴ３０６）
車両判別装置３１から車種情報を受信し、且つ、通行情報に車種情報が含まれている場合、料金収受機３５は、車両判別装置３１から受信した車種情報と通行情報に含まれている車種情報とを比較する。
（ステップＳＴ３０７）
料金収受機３５は、比較結果に基づき、車両判別装置３１から受信した車種情報と通行情報に含まれている車種情報とが一致するか否かを判定する。
【００４５】
（ステップＳＴ３０８）
車両判別装置３１から受信した車種情報と通行情報に含まれている車種情報とが一致する場合、料金収受機３５は、通行情報に乗継情報が含まれているか否かを判定する。
（ステップＳＴ３０９）
通行情報に乗継情報が含まれている場合、料金収受機３５は、通行情報に含まれる入口情報と乗継情報とに基づき、通行料金を算出する。料金収受機３５は、算出した通行料金の支払いを利用者から受けた場合、通行料金の精算処理をする。なお、通行料金の算出は、出口側カード処理装置３０に設けられた出口処理部３０８が実行するものであってもよい。この場合、料金収受機３５は、出口側カード処理装置３０によって算出された通行料金の精算処理のみをする。
（ステップＳＴ３１０）
料金収受機３５は、精算処理した通行料金（精算金額）を、出口側カード処理装置３０に出力する。
（ステップＳＴ３１１）
一方、ステップＳＴ３０８の判定において、通行情報に乗継情報が含まれていないと判定した場合、料金収受機３５は、通行情報に含まれる入口情報に基づき、通行料金を算出する。料金収受機３５は、算出した通行料金の支払いを利用者から受けた場合、通行料金を精算する。なお、通行料金の算出は、出口側カード処理装置３０に設けられた出口処理部３０８が実行するものであってもよい。この場合、料金収受機３５は、出口側カード処理装置３０によって算出された通行料金の精算処理のみをする。
【００４６】
（ステップＳＴ３１２）
ステップＳＴ３０２において、車線制御装置３４から車両ナンバー情報を受信していない場合、又は、通行情報に車両ナンバー情報が含まれていないと判定した場合、料金収受機３５は、エラーを表示する。
ステップＳＴ３０４において、車線制御装置３４から受信した車両ナンバー情報と通行情報に含まれている車両ナンバー情報とが一致しない場合、料金収受機３５は、エラーを表示する。
ステップＳＴ３０５において、車両判別装置３１から車種情報を受信していない場合、又は、通行情報に車種情報が含まれていない場合、料金収受機３５は、エラーを表示する。
ステップＳＴ３０７において、車両判別装置３１から受信した車種情報と通行情報に含まれている車種情報とが一致しない場合、料金収受機３５は、エラーを表示する。
【００４７】
次に、図１０を参照して、本実施形態に係る引き継ぎ処理の一例について説明する。図１０は、本実施形態に係る引き継ぎ処理の一例について説明するためのフローチャートである。ここで、ＩＣカード免許証４０ａは、予め決められた引継元のＩＣカード免許証の載置位置に位置されている。ＩＣカード免許証４０ｂは、予め決められた引継先のＩＣカード免許証の載置位置に位置されている。
（ステップＳＴ４０１）
第２読取部２０６は、引継先のＩＣカード免許証４０ｂから通行情報を読み取る。
（ステップＳＴ４０２）
引継処理部２０１は、ＩＣカード免許証４０ｂから読み取った通行情報に入口情報が含まれているか否かを判定する。
（ステップＳＴ４０３）
ＩＣカード免許証４０ｂから読み取られた通行情報に入口情報が含まれていないと判定した場合、引継処理部２０１は、第１読取部２０４に読み取りを指示する。第１読取部２０４は、引継元のＩＣカード免許証４０ａから通行情報を読み取る。
【００４８】
（ステップＳＴ４０４）
引継処理部２０１は、ＩＣカード免許証４０ａから読み取った通行情報に入口情報が含まれているか否かを判定する。
（ステップＳＴ４０５）
ＩＣカード免許証４０ａから読み取られた通行情報に入口情報が含まれていると判定した場合、引継処理部２０１は、ＩＣカード免許証４０ａから読み取った通行情報に乗継情報が含まれているか否かを判定する。
（ステップＳＴ４０６）
ＩＣカード免許証４０ａから読み取られた通行情報に乗継情報が含まれている場合、引継処理部２０１は、ＩＣカード免許証４０ａから読み取った入口情報と乗継情報とを、ＩＣカード免許証４０ｂに書き込むよう、第２書込部２０５に指示する。第２書込部２０５は、ＩＣカード免許証４０ａから読み取った入口情報と乗継情報とを、ＩＣカード免許証４０ｂのＩＣチップ４０１に書き込む。また、第２書込部２０５は、ＩＣカード免許証４０ａから読み取った入口情報と乗継情報との少なくとも一部を、リライト機能により通行情報書込領域４０２に書き込む。
【００４９】
（ステップＳＴ４０７）
一方、ＩＣカード免許証４０ａから読み取られた通行情報に乗継情報が含まれていないと判定した場合、引継処理部２０１は、ＩＣカード免許証４０ａから読み取った入口情報を、ＩＣカード免許証４０ｂに書き込むよう、第２書込部２０５に指示する。第２書込部２０５は、ＩＣカード免許証４０ａから読み取った入口情報を、ＩＣカード免許証４０ｂのＩＣチップ４０１に書き込む。また、第２書込部２０５は、ＩＣカード免許証４０ａから読み取った入口情報の少なくとも一部を、リライト機能により通行情報書込領域４０２に書き込む。
【００５０】
（ステップＳＴ４０８）
ステップＳＴ４０２の判定処理において、ＩＣカード免許証４０ｂから読み取られた通行情報に入口情報が含まれていると判定された場合、引継処理部２０１は、表示部２０８にエラーを表示する。
また、ステップＳＴ４０４の判定処理において、ＩＣカード免許証４０ａから読み取られた通行情報に入口情報が含まれていないと判定された場合、引継処理部２０１は、表示部２０８にエラーを表示する。
【００５１】
ここで、図１１を参照して、ＩＣカード免許証４０に書き込まれる通行情報の一例について説明する。図１１は、ＩＣカード免許証４０に書き込まれる通行情報の一例を示す図である。
まず、車両Ｘの走行経路の一例について説明する。図示の例では、有料道路に沿って、Ａ〜Ｆ料金所が設けられている。Ｃ〜Ｄ料金所間には、サービスエリアが設けられている。Ａ〜Ｆ料金所の入口料金所には、入口側カード処理装置１０Ａ〜１０Ｆが設置されている。Ａ〜Ｆ料金所の出口料金所には、出口側カード処理装置３０Ａ〜３０Ｆと料金収受機３５Ａ〜３５Ｆが設置されている。Ｃ〜Ｄ料金所間には、サービスエリアが設けられている。このサービスエリアには、カード情報引継処理装置２０が設置されている。
図示の例では、Ｂ〜Ｃ料金所間とＤ〜Ｅ料金所間とが通行禁止区間である。この場合、Ａ料金所から入場した車両Ｘは、有料道路を走行し、工事中の区間の直前であるＢ料金所で有料道路を降りなければならない。その後、車両Ｘは、一般道を走行した後、Ｃ料金所から入場し、再び有料道路を走行する。車両Ｘは、有料道路の走行途中でサービスエリアを立ち寄った後、Ｄ料金所で有料道路を降りる。車両Ｘは、一般道を走行した後、Ｅ料金所から入場し、再び有料道路を走行する。車両Ｘは、Ｆ料金所で有料道路を降りる。
本実施形態では、通行禁止区間の直前の料金所が乗継地点であると決められている。つまり、図示の例では、Ｂ料金所が乗継地点である。しかし、本発明はこれに限られず、通行禁止区間の前（直前ではない）のＡ料金所も、乗継地点に含めてもよい。
【００５２】
車両Ｘを運転する運転手は、ＩＣカード免許証４０を保有している。車両ＸがＡ料金所から入場した場合、入口側カード処理装置１０Ａは、ＩＣカード免許証４０に入口情報を書き込む。ここで書き込まれる入口情報は、入口料金所がＡであることを示す入口料金所情報、車種情報、車両番号、入場日時情報である。
その後、車両ＸがＢ料金所から出場する場合、出口側カード処理装置３０Ｂは、ＩＣカード免許証４０から通行情報を読み出す。ここで、ＩＣカード免許証４０に記憶されている通行情報は、入口情報のみである。
出口側カード処理装置３０Ｂの出口情報記憶部３０３には、Ｂ料金所が乗継地点であることを示す情報が含まれている。料金収受機３５Ｂは、入力情報に基づき、Ａ〜Ｂ料金所までの通行料金を算出するとともに、乗継情報を生成する。ここで生成される乗継情報には、乗継地点を含む走行区間（Ａ〜Ｂ料金所間）を示す情報と、精算金額を示す情報と、車種情報、車両番号、乗継日時情報である。
【００５３】
次に、車両ＸはＣ料金所から入場する。この場合、入口側カード処理装置１０Ｃは、ＩＣカード免許証４０に入口情報を書き込む。ここで書き込まれる入口情報は、入口料金所がＣであることを示す入口料金所情報、車種情報、車両番号、入場日時情報である。
その後、車両ＸがＤ料金所から出場する場合、出口側カード処理装置３０Ｄは、ＩＣカード免許証４０から通行情報を読み出す。ここで、ＩＣカード免許証４０に記憶されている通行情報は、入口情報と乗継情報である。
料金収受機３５Ｄは、入力情報と乗継情報に基づき、Ｃ〜Ｄ料金所までの通行料金を算出する。通行料金を算出する際、料金収受機３５Ｄは、Ｂ〜Ｃ料金所間が通行禁止である場合の乗継割引を行う。具体的に説明すると、料金収受機３５Ｄは、Ａ〜Ｄ料金所間の通行料金に対して乗継割引後の通行料金を算出し、乗継割引後の通行料金から、既に精算済のＡ〜Ｂ料金所間の通行料金を減額した金額を算出する。
出口側カード処理装置３０Ｄの出口情報記憶部３０３には、Ｄ料金所が乗継地点であることを示す情報が含まれている。この場合、料金収受機３５Ｄは、乗継情報を生成する。ここで生成される乗継情報には、乗継地点を含む走行区間（Ａ〜Ｄ料金所間）を示す情報と、精算金額を示す情報と、車種情報、車両番号、乗継日時情報である。このように、走行区間における入口料金所が乗継地点である場合、料金収受機３５Ｄは、入口料金所よりも上流側の走行区間も、乗継割引の対象区間に含める。
【００５４】
さらに、車両ＸはＥ料金所から入場する。この場合、入口側カード処理装置１０Ｅは、ＩＣカード免許証４０に入口情報を書き込む。ここで書き込まれる入口情報は、入口料金所がＥであることを示す入口料金所情報、車種情報、車両番号、入場日時情報である。
その後、車両ＸがＦ料金所から出場する場合、出口側カード処理装置３０Ｂは、ＩＣカード免許証４０から通行情報を読み出す。ここで、ＩＣカード免許証４０に記憶されている通行情報は、入口情報と乗継情報である。
料金収受機３５Ｆは、入力情報と乗継情報に基づき、Ｅ〜Ｆ料金所までの通行料金を算出する。この料金収受機３５Ｆは、Ｂ〜Ｃ料金所間とＤ〜Ｅ料金所間が通行禁止である場合の乗継割引を行う。具体的に説明すると、料金収受機３５Ｆは、Ａ〜Ｆ料金所間の通行料金に対して乗継割引後の通行料金を算出し、乗継割引後の通行料金から、既に精算済のＡ〜Ｂ料金所間の通行料金とＣ〜Ｄ料金所間の通行料金を減額した金額を算出する。
出口側カード処理装置３０Ｆの出口情報記憶部３０３には、Ｆ料金所が乗継地点であることを示す情報が含まれていない。よって、料金収受機３５Ｆは、乗継情報を生成しない。ここで、ＩＣカード免許証４０に記憶されている通行情報はない。
【００５５】
上述の通り、本実施形態に係る有料道路料金処理システム１によると、通行券及び乗継券の代わりにＩＣカード免許証４０を用いて、有料道路の料金処理を実行することができる。ドライバーは必ず免許書を携帯しているため、通行券及び乗継券を、ＩＣカード免許証４０で代用することができる。よって、通行券と乗継券としての磁気カードの使用を廃止することができる。
【００５６】
また、ドライバーが途中で交代した場合、一定条件の下、有料道路内のサービスエリアのカード情報引継処理装置２０が、引継元のＩＣカード免許証４０ａの通行情報を、引継先のＩＣカード免許証４０ｂに書き込む。これにより、出口料金所では、交代後のドライバーのＩＣカード免許証４０ｂを用いて通行料金を精算処理できる。
ここで、カード情報引継処理装置２０は、引継元のＩＣカード免許証４０ａの乗継情報を、引継先のＩＣカード免許証４０ｂに書き込む場合、ＩＣカード免許証４０ａに記録されている車両ナンバーとＩＣカード免許証４０ｂに記録されている車両ナンバーとが一致するか否かを判定する。車両ナンバーが一致した場合、カード情報引継処理装置２０は、乗継情報を引継先のＩＣカード免許証４０ｂに書き込む。これにより、異なる車両に乗り換えて、本来支払うべき区間の通行料金の一部の支払いを免れるような不正使用を防止できる。
また、カード情報引継処理装置２０は、引継先のＩＣカード免許証４０ｂに入口情報が記録されている場合、引継元のＩＣカード免許証４０ａに記録されている通行情報を、引継先のＩＣカード免許証４０ｂに書き込まない。これにより、引継先のＩＣカード免許証４０ｂに記録されている入口情報が消えてしまうことを防止できる。また、入口情報が記録されているＩＣカード免許証４０ｂに対して、他のＩＣカード免許証４０ａの入口情報又は乗継情報が記録されることを防止することにより、本来支払うべき区間の通行料金の一部の支払いを免れるような不正使用を防止できる。
【００５７】
さらに、入口側カード処理装置１０、カード情報引継処理装置２０、及び出口側カード処理装置３０は、ＩＣカード免許証４０のＩＣメモリに通行情報を書き込むとともに、通行情報の一部を通行情報書込領域４０２に書き込む。これにより、収受員は、通行情報書込領域４０２に表示された情報を参照して料金精算を行うことができる。よって、ＩＣカード免許証４０から通行情報が読み取れない場合であっても、料金精算を行うことができる。
また、料金収受機３５は、ＩＣカード免許証４０から読み取った通行情報に基づき、出口料金所を通過した車両の車種及び車両ナンバーが、入口料金所を通過した車両の車種及び車両ナンバーと一致するか否かを判定する。これにより、精算処理において利用される入口情報と乗継情報の正当性を担保することが可能となり、本来支払うべき区間の通行料金の一部の支払いを免れるような不正使用を防止できる。
【００５８】
本発明は上記実施形態に限られない。例えば、料金算出部３５５は、料金収受機３５に限られず、出口側カード処理装置３０に設けられる構成であってもよい。
【００５９】
乗継情報は、乗継割引を適用するための情報であればよく、どのようなものであってもよい。例えば、乗継地点の料金所を示す情報だけを含むものであってもよく、さらに乗継日時情報を含むものであってもよい。この場合、上記実施形態において、出口側カード処理装置３０は、入口情報に基づき乗継情報を生成し、入口情報を削除する例について記載したが本発明は限られない。例えば、乗継情報をＩＣカード免許証４０に書き込む際、入口情報を残しておくものであってもよい。
【００６０】
ＩＣカード免許証４０は、電子マネーでの支払い機能を備えたＩＣカードでもよく、クレジット支払い機能を備えたＩＣカードであってもよい。また、これら支払い機能を備えたＩＣカードに、免許証の機能を組み合わせたものが実現された場合、このようなものでよい。
【００６１】
入口側カード処理装置１０は、ＩＣカード免許証４０から入口情報が読み出されない場合のみ（つまり、ＩＣカード免許証４０に入口情報が記録されていない場合のみ）、入口情報を書き込む例について説明した。本発明はこれに限られず、例えば、入口側カード処理装置１０が読取部を備えず、ＩＣカード免許証４０に既に入口情報が記録されている場合であっても、新しい入口情報を上書きするものでもよい。また、入口側カード処理装置１０に対して、書込部１０４が乗継情報を書き込む処理を禁止する設定がなされていてもよい。
【００６２】
カード情報引継処理装置２０は、サービスエリアに限られず、入口料金所や出口料金所に設置されるものであってもよい。
また、本発明に係る有料道路料金処理システムは、距離が異なる場合でも利用料金が一律金額に決められている有料道路にも適用可能である。
【００６３】
入口料金所において通行料金を前精算するものでもよい。例えば、首都高速道路や阪神高速道路のように、一定のエリア内の有料道路であれば通行料金が一律に決められている有料道路がある。このような道路では、出口料金所が設置されず、入口料金所で前精算するものが一般的である。このような場合、入口料金所には、料金収受機３５が設置され、乗継情報をＩＣカード免許証４０に書き込む乗継処理部３８１が入口側カード処理装置１０に搭載されている。
乗継処理部３８１を搭載する入口側カード処理装置１００が設置された料金所が乗継地点を含む有料道路内のいずれかの料金所である場合、乗継処理部３８１は、入口料金所を示す情報や、入場日時等を含む乗継情報をＩＣカード免許証４０に書き込む。そして、通行禁止区域等を迂回するため一旦有料道路を降りた車両は、同じ有料道路の他の料金所から再入場する。再入場の際に、入口側カード処理装置１００は、ＩＣカード免許証４０から乗継情報を読み出し、乗継割引の適用の可否を判定する。乗継情報が有効である場合、乗継割引が適用され、再入場の際の料金が加算されない。
【００６４】
本発明における入口側カード処理装置１０、カード情報引継処理装置２０、及び出口側カード処理装置３０の機能を実現するためのプログラムをコンピュータ読み取り可能な記録媒体に記録して、この記録媒体に記録されたプログラムをコンピュータシステムに読み込ませ、実行することにより工程を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００６５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６６】
１０  入口側カード処理装置
１１  車両判別装置
１２  車両検出装置
１３  車両番号撮影カメラ
１４  車線制御装置
２０  カード情報引継処理装置
３０  出口側カード処理装置
３１  車両判別装置
３２  車両検出装置
３３  車両番号撮影カメラ
３４  車線制御装置
３５  料金収受機（出口精算機）
４０  ＩＣカード免許証
１０１  通信部
１０２  時計
１０３  入口情報記憶部
１０４  書込部
１０５  読取部
１０６  操作部
１０７  表示部
１０８  入口処理部
２０１  引継処理部
２０２  時計
２０３  第１書込部
２０４  第１読取部
２０５  第２書込部
２０６  第２読取部
２０７  操作部
２０８  表示部
３０１  通信部
３０２  時計
３０３  出口情報記憶部
３０４  書込部
３０５  読取部
３０６  操作部
３０７  表示部
３０８  出口処理部
３５１  通信部
３５２  時計
３５３  精算情報記憶部
３５４  精算処理部
３５５  料金算出部
４０１  ＩＣチップ
４０２  通行情報書込領域
【図１】
2015153170.tif 000003
【図２】
2015153170.tif 000004
【図３】
2015153170.tif 000005
【図４】
2015153170.tif 000006
【図５】
2015153170.tif 000007
【図６】
2015153170.tif 000008
【図７】
2015153170.tif 000009
【図８】
2015153170.tif 000010
【図９】
2015153170.tif 000011
【図１０】
2015153170.tif 000012
【図１１】
2015153170.tif 000013